(57)【特許請求の範囲】
【請求項１】
それぞれの測定がある周波数ステップにより分離される、伝送帯域に属する複数の周波数の受信電力を測定する段階と、
全ての電力の測定値を記憶する段階とを含む、伝送帯域で検出されたチャネルのリストを作成する方法であって、
記憶された結果からチャネルを検出する段階と、前記チャネルを検出する段階は、多数の判定された測定値からなるスライディング窓で作成された平均から全ての測定値について第一の標準偏差を計算する段階を含み、搬送波周波数の検出は、所与の周波数について計算された前記第一の標準偏差が第一の決定された閾値よりも小さいときに介入し、
検出された搬送波周波数を中心とする前記多数の判定された測定からなるスライディング窓で複数の周波数について受信された測定電力の平方値を計算する段階と、
チャネルリストを作成するため、検出されたチャネルのなかからサテライトチャネルを選択する段階とを含み、
前記サテライトチャネルの信号は、第二の決定された閾値よりも低い前記測定電力の平方値を有する、
ことを特徴とする方法。
【請求項２】
サテライトチャネルを選択する段階は、前に計算された第一の標準偏差のスライディング窓で第二の標準偏差を計算することで実行され、
前記第一の標準偏差のスライディング窓は、検出されたチャネルに対応する周波数を中心とし、前記検出されたチャネルは、サテライトチャネルであり、前記第二の標準偏差が決定された閾値よりも小さい場合に前記リストに記憶される、
ことを特徴とする請求項１記載の検出方法。
【請求項３】
前記測定する段階の間に使用される周波数ステップは２ＭＨｚである、
ことを特徴とする請求項１又は２に記載の検出方法。
【請求項４】
伝送帯域に配置される受信周波数を使用したマルチチャネル受信装置であって、
それぞれの測定が所与の周波数ステップにより分離される、伝送帯域に属する複数の周波数の受信電力を測定する手段と、
測定された電力を記憶する手段とを有し、
当該装置は、
記憶された結果からチャネルを検出する処理回路を有し、前記処理回路は、多数の判定された測定値からなるスライディング窓で作成された平均から全ての測定値について第一の標準偏差を計算し、搬送波周波数の検出は、所与の周波数について計算された第一の標準偏差が第一の決定された閾値よりも小さいときに介入し、
前記処理回路は、検出された搬送波周波数を中心とする前記多数の判定された測定からなるスライディング窓で複数の周波数について受信された測定電力の平方値を計算し、
前記処理回路は、検出されたチャネルのなかから、サテライトチャネルを選択し、前記サテライトチャネルの信号は、第二の決定された閾値よりも低い前記測定電力の平方値を有する、
ことを特徴とするマルチチャネル受信装置。
【請求項５】
前記処理回路は、前に計算された第一の標準偏差のスライディング窓で第二の標準偏差を計算することで前記サテライトチャネルを選択し、
前記第一の標準偏差のスライディング窓は、検出されたチャネルに対応する周波数を中心とし、前記検出されたチャネルは、サテライトチャネルであり、前記第二の標準偏差が決定された閾値よりも小さい場合に前記リストに記憶される、
ことを特徴とする請求項４記載のマルチチャネル受信装置。
【請求項６】
前記受信電力の測定の間に使用される周波数ステップは、２ＭＨｚである、
請求項４又は５に記載のマルチチャネル受信装置。
【発明の詳細な説明】
【技術分野】
【０００１】
本発明は、伝送帯域の周波数スキャンを実行する受信装置で使用されるチャネル検出方法、及び当該方法を実現する装置に関する。
【背景技術】
【０００２】
幾つかのテレビ受信装置は、現在市販されており、特にサテライトデコーダである。番組を受信するため、受信機は、チャネルのリストを識別する必要がある。第一の方法によれば、ユーザは、受信機が位置される場所で動作中の周波数レンジを導入することでその受信機を手動で機器構成する。また、自動的な方法もあり、受信機は、利用可能なチャネルをサーチすることができる。シンプルモードによれば、自動的なサーチは、装置により使用される全体の受信帯域を周波数スキャニングし、次いで全ての搬送波周波数を受信されたチャネルに関連する情報と同様に記憶することからなる。サテライトデコーダについて、スキャンされるべき受信帯域は、たとえば１ＧＨｚであり、比較的長いスキャニングを必要とする。
【０００３】
帯域のスキャニングを実行するため、周波数ステップ当たりスキャンすることが知られている。あるチャネルが受信帯域に沿って何処かに存在する場合、それを発見することが必須であるように、周波数ステップは、あるチャネルの幅よりも狭いか又は等しいように固定される。周波数のインクリメントの間、周波数に対応する信号が測定され、ある閾値に比較される。信号が閾値よりも大きい場合、チャネルの搬送波周波数を判定するために周波数は正及び負に変化する。次いで、そのチャネルはデコードされ、発見されたチャネルに関する情報が取得及び記憶される。
【０００４】
サテライトトランスミッションは、異なるチャネル幅を使用する。例を通して、同じ衛星は、２５．３３又は４０ＭＨｚのチャネルをブロードキャストすることができる。したがって、最も短いチャネル幅に対応するステップによりスキャニングが実行される。チャネルタイプを識別するため、それぞれの周波数スキップの間、それぞれのチャネルタイプに関する連続する識別を使用してどのチャネルが発見されたかをチェックすることが必要である。
【０００５】
動作について必要とされる時間は、Ｎ*Ｔs＋Ｍ*Ｔiに等しく、ここで、Ｎを実行されるべきスキップ数、Ｔsは帯域スキャンを実行する発振器の周波数変化について必要とされる時間、Ｍはスキャンされる帯域に存在するチャネル数、及びＴiはあるチャネルの平均の識別時間である。全体の帯域のスキャニングは、数分続くことができる。
【０００６】
US6362772-SKOTCH DERWINの文献は、衛星からの信号を受信する機器を記載している。衛星アンテナは、全ての周波数をスキャニングする装置であって、情報をサーバに伝送する装置にリンクされる。サーバは、ユーザ装置にリンクされる。サテライトソースからの送信のみを受信する関連されるアンテナ及びフィルタが知られており、他のソースとの区別に関する問題は存在しない。
【０００７】
US6732061-WICHELMANの文献は、プロフェッショナルネットワークヘッドを記載している。このネットワークヘッドは、伝送周波数がドリフトされたか否かをチェックするために周波数ステップによりスペクトル分析を実行する。ネットワークヘッドが正しい周波数でもはや設定されていない場合、自動的な補正方法が実行される。この文献は、受信されたチャネルタイプが検出されるのを可能にする。
【発明の開示】
【発明が解決しようとする課題】
【０００８】
本発明の目的は、異なる幅のチャネルを受信する装置での自動的なチャネルサーチのために必要とされる時間を低減することにある。  
本発明は、全体の周波数レンジの高速な測定ステップ、次いで所定の周波数について測定の利用し、フィルタリングするステップを有するチャネル検出方法を提案する。
【課題を解決するための手段】
【０００９】
本発明は、それぞれの測定が周波数ステップにより分離される、伝送帯域に属する複数の周波数について受信電力を測定する第一の測定ステップ、全ての電力測定の値を記憶する記憶ステップを含む、伝送帯域で検出されるチャネルのリストを作成する方法である。当該方法は、記憶された結果からチャネルを検出するステップ、スライディング周波数窓（sliding frequency window）での平方電力（quadratic power）を計算する計算ステップ、チャネルリストを作成するために検出されたチャネルのなかで衛星のチャネルを選択するステップを含むことを特徴としており、衛星の信号は、決定された閾値よりも大きな平方電力を有する。  
このように、１つの測定のスウィープで衛星のチャネルのリストを決定することができる。
【００１０】
第一の改善によれば、チャネル検出ステップは、多数の決定された測定のスライディング窓から確立される平均から全ての測定について第一の標準偏差を計算することからなる。搬送波周波数の検出は、所与の周波数について計算された第一の標準偏差が決定された閾値よりも小さいときに介入する。
【００１１】
別の改善によれば、衛星のチャネルの抽出ステップは、前に計算された第一の標準偏差の窓で第二の標準偏差を計算することで実行され、前記第一の標準偏差の窓は、検出されたチャネルに対応する周波数の周りにセンタリングされ、第二の標準偏差が決定された閾値よりも小さい場合にチャネルが抽出され、リストに配置される。
【００１２】
別の改善によれば、測定ステージの間に使用される周波数ステップは、２ＭＨｚである。
【００１３】
本発明は、伝送帯域に配置される受信周波数を使用したマルチチャネル受信装置に関し、当該装置は、それぞれの測定が所与の周波数ステップにより分離される、伝送帯域に属する複数の周波数について受信電力を測定する手段、測定された電力を記憶する手段を有し、当該装置は、記憶された結果からチャネルを検出する手段、検出されたチャネルのなかからチャネルを選択する手段を有し、選択手段は、スライディング周波数窓で平方電力を計算することからなり、決定された閾値よりも大きな平方電力を有する信号は、衛星を発生源とする。
【００１４】
本発明は、良好に理解され、他の特定の特徴及び利点は、添付図面を参照して行われる以下の説明を読んで明らかになるであろう。
【発明を実施するための最良の形態】
【００１５】
図１は、サテライトテレビジョン伝送の受信装置を示す、この受信装置は、ＬＮＢとしてより一般的に知られる低雑音ブロック２を備えるアンテナ１、サテライトデコーダ３及びテレビジョンスクリーン４を有する。ＬＮＢ２は、たとえば９５０と２１５０ＭＨｚとの間で有する中間周波帯域で１以上の衛星により使用される伝送帯域の置き換えを実行する。サテライトデコーダ３は、同軸ケーブル５を介してＬＮＢ２から信号を受信し、テレビジョン信号をテレビジョンスクリーン４にコネクションケーブル６を介して供給する。
【００１６】
サテライトデコーダ３は、中間帯域におけるチャネルの選択を実行し、次いで、そのチャネルからの有効な情報を復調及びデコードし、一方でテレビジョンスクリーン４に適合されるテレビジョン信号を再構成し、他方で、サテライトプログラムのブロードキャストオペレータに特化したサービスデータを更新する。
【００１７】
サテライトデコーダ３のモデリングは、図２に示される。図２のモデリングは、本発明に従って実現される異なるエレメントをより詳細に示す。
【００１８】
第一のバンドパスフィルタ１０は、同軸ケーブル５に接続され、たとえば９５０ＭＨｚと２１５０ＭＨｚとの間に及ぶ中間帯域が選択される。増幅器１１は、第一のバンドパスフィルタ１０に接続され、中間帯域信号が増幅される。ミキサ１２は、周波数シンセサイザ１３により生成される信号を使用して中間の帯域を置き換える。第二のバンドパスフィルタ１４は、ミキサ１２により置き換えられた帯域におけるチャネルを選択する。第二のフィルタ１４は、変調周波数に関してセンタリングされ、所与のチャネルに対応する帯域幅を選択するために可変の帯域幅を有する。
【００１９】
復調及びデコード回路１５は、チャネルの復調及びデコードを実行し、データストリームを供給する。処理回路１６は、データ処理を実行し、ケーブル６で供給されるビデオ信号を再構成する。処理回路１６は、デコーダの全体を制御し、特に衛星の帯域周波数のプランを記憶する。制御回路１８は、周波数のターゲットをシンセサイザ１３に送出し、帯域幅の選択のターゲットを第二のフィルタ１４に送出し、チャネル幅及びビットレートのターゲットを復調及びデコーディング回路１５に送出し、増幅器１９を介してフィルタ２０及び同軸ケーブルから制御信号をＬＮＢ２に送出することで、受信されたチャネルを制御するために使用される。さらに、制御回路１８は、受信された周波数チャネルの受信電力が測定されるのを可能にする復調及びデコーディング回路１５からロッキング信号を受信するために入力、処理回路１６と命令及び情報をやり取りする入力／出力を使用する。
【００２０】
オペレータはメモリ１７に記憶されているチャネルを選択するとき、処理回路１６は、メモリ１７で読取られるパラメータ（たとえば搬送波周波数、チャネル幅、ＬＮＢ偏波）をもつチャネル変更要求を制御回路１８に供給する。
【００２１】
図３は、メインの回路間のメインリンク及びデータストリームを示す。１実施の形態によれば、テレビジョン伝送受信装置は、シンセサイザ（ＴＵＮＥＲ）及びＤＶＢ６Ｓ＆Ｓ２復調器を有する。チューナは、９５０ＭＨｚと２１５０ＭＨｚとの間の帯域で動作し、周波数（１＋rolloff）*Ｆs／２への変換を実行する。ここでＦsは、考慮されるチャネルのシンボル周波数である。復調器は、Ｉ及びＱアナログ周波数帯域からの信号を使用して、この周波数帯域から数値情報を抽出する。この回路は、Ｉ２Ｃリンクを介して数値のやり方で、及び“Analog AGC Feedback”として示される戻りリンクによりアナログのやり方で、チューナと通信する。復調器は、以下の機能を実行する。ＡＤＣ（フォーマット補正、連続成分の削除、Ｉ＆Ｑ補正）、ＴＵＮＥＲゲインの自動制御、搬送波の回復、誤り訂正符号の管理。
【００２２】
自動チャネルサーチの間、処理回路１６は、制御回路１８におけるサーチアルゴリズムをトリガする。したがって、制御回路１８は、メモリ１７における読取り及び書き込みアクセスを有する。第一の瞬間で、ＴＵＮＥＲは、決定されたスキップを実行することで全体の周波数レンジでの受信信号の振幅を測定し、次いで、測定が分析され、発見された搬送波周波数はフィルタリングされて、衛星のチャネルのみが保持される。
【００２３】
図４は、９５０ＭＨｚと２１５０ＭＨｚとの間のレンジにおける測定の結果を示す。Ｉ及びＱバンドフィルタの遮断周波数は、典型的に５ＭＨｚである最小値に低減される。この値は、信号検出を考慮して最良の解像度の帯域幅であると考えられる。実験は、ある周波数から別の周波数までの通過するための２ＭＨｚの周波数ステップの使用は、搬送波周波数を判定する精度と、９５０ＭＨｚと２１５０ＭＨｚの間のレンジのフルスキャンタイムとの間の良好な妥協を提供することを示している。それぞれの測定について、受信された信号の電力が測定され、メモリ１７に保存される。考慮されるレンジでは、受信装置は、６００の測定を実行する。実験は、完全な測定を実行するために４５秒が必要とされることを示す。測定は、１０．７ＧＨｚから１１．７ＧＨｚまでの低周波帯域のある測定部分から１１．７ＧＨｚから１２．７５ＧＨｚまでの高周波帯域に通過させることで、また、垂直偏波から水平偏波に通過させることで、４つの連続するスキャンを実行することからなる。したがって、測定は、２ＭＨｚのステップで４つのサブバンドを連続的にスキャンすることで実行される。図４は、全体のレンジで測定されるスペクトルグローバルエンベロープを示す。Ｐｉで測定されたそれぞれの電力は、メモリに保存され、測定周波数に関連付けられる。
【００２４】
一般的なチャネルサーチアルゴリズムは、図５Ａで記載される。予備のステップは、周波数レンジのスキャニングプロセスを実行することからなる。このステップは、最初の差動の間に典型的に実行される。このステップは、受信装置にリンクされたリモートコントロールのボタンを押すことで導入される制御を使用して、メニューから実行することもできる。次いで、制御回路は、必要な周波数、帯域幅及びビットレート命令を周波数シンセサイザ１３、フィルタ１４並びに復調及びデコーディング回路１５に送出する。
【００２５】
ステップ５．１では、９５０ＭＨｚから２１５０ＭＨｚまでの全体の周波数レンジは、典型的に２ＭＨｚである決定された値のステップ当たり調べられる。全ての測定は、メモリに保存される。ステップ５．２では、測定値は、メモリから抽出され使用される。変形は、測定値の使用が測定値の取得のそれと共存して実行されることからなる。したがって、２つのタスクがパラレルに実行される。
【００２６】
ステップ５．３では、トランスポンダが検出される。この検出は、４つの連続する電力測定値［Ｐi-3，Ｐi-2，Ｐi-1，Ｐi］のスライディング窓を考慮することで実行される。有利なことに、スライディング窓は、搬送波を検出することができる窓と同じであるが、これは強制されるものではない。特に、より細かいステップが使用される場合（２ＭＨｚ以下）、このケースでは、４つのステップの窓は、搬送波周波数をフロントで検出するために十分であるが、必ずしも検出された搬送波周波数の形式ではない。伝送の特性を決定するスライディング窓は、より多くの測定ポイントを有し、したがってスライディング窓は、より大きい。無線受信回路（フロントエンド）の開始で識別される（たとえば８５ｄＢｍから−１０ｄＢｍの）それぞれの平均平方電力は、−６５５３５から０にそれぞれ（１６ビットで）符号化される自動利得制御値（ＡＧＣ）に対応する。（たとえば（−３２０００）−（−３２５００）といった）データ（Ｐi-2−Ｐi-3）が決定された閾値よりも小さくなった場合、トランスポンダエッジが検出される。図３により示される例であって、使用されるスケールに従う例では、＋９００値は、正のトランスポンダエッジを検出する閾値としての役割を果たし、これにより、冗長な負のステップのエッジの処理は時間を節約するために回避される。さらに、この閾値は、＋９００よりも大きい差（Ｐi-2−Ｐi-3）に対応するエッジの低い部分における測定ポイントの処理を回避する。
【００２７】
レジスタをオーバフローしないため、及び（整数での）計算時間を最大にするため、分割ファクタ１６は、将来の標準偏差の計算について全ての測定された電力の値のＡＧＣについて適用される。結果として、図４の全ての測定値は、このファクタ１６により除算される。
【００２８】
この手順は、チャネル周波数を決定するため、４つの連続する電力測定値（Ｐi，Ｐi-1，Ｐi-2及びＰi-3）の“ＱＤi”と呼ばれる標準偏差の計算で始まる。チャネルを現すピークの上で、連続する電力は、互いに非常に近く（図４における測定のレイアウトを参照）、したがって、推測される標準偏差は非常に低くなる。この標準偏差の最小値のサーチは、チャネルに関連される周波数を決定する。このように検出された“ｉ”番目の搬送波周波数の平方電力又はＱＤiは、以下の式で計算される。
ＱＤi＝［（Ｐi−pmoy）2＋（Ｐi-1−pmoy）2＋（Ｐi-2−pmoy）2＋（Ｐi-3−pmoy）2］／［４×pmoy2］
ここで“pmoy”は４つの連続する電力の平均であり、pmoy=（Ｐi＋Ｐi-1＋Ｐi-2＋Ｐi-3）／４である。標準偏差の閾値THRETHOLD_QDiは、トランスポンダピークを定義するために決定される。実験は、０．０００５００が、トランスポンダが存在する場合に発見される値であることを判定する。
【００２９】
確かに、トランスポンダが存在する場合に実行される測定の例は、以下の結果を与える。−Ｐi＝−２０２０，−Ｐi＝−２０００，−Ｐi＝−２０１０，−Ｐi＝−２０２０。  
平均はＰmoy＝−２０１２であり、ＱＤi値は、したがって（８）2＋（１２）2＋（２）2＋（８）2／（４*２０１２*２０１２）＝１．７０Ｅ−５である。
【００３０】
トランスポンダのない急峻なエッジでの測定は、たとえば、以下のようになる。−Ｐi＝−２０００，−Ｐi＝−２１００，−Ｐi＝−２１５０，−Ｐi＝−２２００。  
同じ計算により、２１１２の平均についてＱＤiの値を与える。（１１２）2＋（１２）2＋（１５０）2＋（２００）2／（４*２０１２*２０１２）＝４００Ｅ−５。
【００３１】
したがって、標準偏差ＱＤiが０に近くなると、トランスポンダに近くなることが観察される。正しい閾値（THRETHOLD_QDi）は、ＱＤiについて測定された最大値の１２％を取ることから構成され、これは、４００Ｅ−５の１２％＝５０Ｅ-5である（THRETHOLD_QDi）であることを示す。
【００３２】
測定：１．７Ｅ−５は、閾値よりも非常に低く、５０Ｅ-4：したがってｉ番目の測定値はピークに対応する。  
それぞれの測定値に対応するＱＤiは、THRETHOLD_QDiに比較され、最小値は、ピーク位置に対応する。
【００３３】
図６は、測定周波数に従う異なるＱＤi計算を示す。  
ステップ５．４は、サテライトソースであるか否かの判定を可能にする。衛星の周波数について測定される信号の形式は、搬送波周波数の周りで広く、たとえばＦＭ周波数について測定される形式は、明らかに更に進展されたプロファイルを有する。具体的に、テストプロセスは、その特性を区別するために検出されたトランスポンダの周波数でセンタリングされる、３つの連続する周波数ｉ−１，ｉ及びｉ＋１の周りで計算される３つの平方電力を使用することからなる。
【００３４】
判定は、検出されたチャネルに対応する周波数でセンタリングされる窓での標準偏差ＱＤ’を計算することで実行される。特に、窓は、検出された周波数Ｆiを標準偏差ＱＤi-1，ＱＤi及びＱＤi+1に適用する。このテストは、ＱＤの値を決定された閾値THRETHOLD＿QD’に比較することを含む。
ＱＤ’＝［（ＱＤi−ＱＤmoy）2＋（ＱＤi+1−ＱＤmoy）2＋（ＱＤi+2−ＱＤmoy）2］／［３×ＱＤmoy2］
ここで、“ＱＤmoy”は先行するＱＤiの平均であり、ＱＤmoy＝（ＱＤi＋ＱＤi+1＋ＱＤi+2）／３である。ＱＤ’が閾値THRETHOLD_QD’よりも小さい場合、検出された搬送波周波数は衛星からのものである。
【００３５】
確かに、トランスポンダを含む周波数窓で実行される測定値の例は、以下の結果を与える。−ＱＤi＝０．００００１７，−ＱＤi+1＝０．００００１８，−ＱＤi+2＝０．００００１９。
【００３６】
計算後、ＱＤ’moy＝０．００００１８であり、ＱＤ’＝（０．０００００１）2＋（０）2＋（０．００００００１）2／（３*（０．００００１８）2）＝０．００２０５  
この非常に小さな値は、衛星のタイプのトランスポンダの存在を示す。
【００３７】
別の一連の測定は、トランスポンダを含まない周波数窓における以下の結果を与える。−ＱＤi＝０．０００５００，−ＱＤi+1＝０．００００１８，−ＱＤi+2＝０．０００４００。  
計算の後：ＱＤ’imoy＝０．０００３０６であり、ＱＤ’＝（０．０００１９４）2＋（０．０００２８８）2＋（０．００００９４）2／（３*（０．０００３０６）2）＝０．０４６。
【００３８】
多数の一連の測定は、発生源が衛星からのものであるか否かを判定するため、検出されたチャネルのそれぞれから受信されたデータを分析することで実行される。実験は、検出された殆ど全ての衛星のチャネルは、０．００００２に等しいTHRETHOLD_QD’よりも小さなＱＤ’測定値を有することを示す。先の例では、０．００００１８は、０．００００２よりも非常に小さく、したがって衛星のトランスポンダは、明確に存在する。
【００３９】
図６は、１０１０ＭＨｚと１１１０ＭＨｚ周波数の間と同様に、１９８０ＭＨｚと２０９０ＭＨｚ周波数の間での幾つかのアナログトランスポンダの存在を示す。検出されたトランスポンダの特性を判定する検出閾値は、図６で−１０００からである。衛星のトランスポンダのなかで、１４９０ＭＨｚでセンタリングされる非常に広い周波数伝送帯域を有するトランスポンダが検出される。
【００４０】
ステップ５．５では、衛星の搬送波周波数が検出され、その特性は、テーブルに記憶される。  
ステップ５．６では、サテライトソースに対応するシンボル周波数が計算される。  
ステップ５．７では、分析される測定がなお存在する限り、ステップ５．３にループバックするためにテストが実行される。測定が残されていない場合、伝送チャネル検出フェーズが終了される（ステップ５．８）。受信装置は、搬送波周波数及びシンボル周波数がそれぞれのサービスについて発見されるのを可能にする、そのメモリにおいてテーブルを含む。
【００４１】
他の実施の形態の変形例も可能である。使用されるべき周波数ステップの選択は、示された値とは異なる。  
サーチされるべきチャネルタイプの数は、異なる比率で変化することもできる。チャネルタイプについて、そのバイナリビットレートが異なる同じ帯域幅のチャネルも考慮される。確かに、検出動作は、必要とされるリファレンスに関する復調器のロック及びチャネルビットレートの識別を含む。所定のケースでは、チャネルビットレートが帯域幅とは独立に変化するとき、チャネルビットレートは変調のタイプに密にリンクされ、搬送波周波数のロックが繰り返される。
【図面の簡単な説明】
【００４２】
【図１】サテライトテレビジョン伝送の受信装置を表す図である。
【図２】本発明に係るサテライトデコーダを表す図である。
【図３】本発明の実施の形態に係る受信機に含まれるメインの回路間の主要なリンク及びデータストリームを示す図である。
【図４】本発明の実施の形態に従って実行されるそれぞれの周波数ステップでの電力の測定のタイミング図である。
【図５】チャネル検出方法の動作フローダイアグラムである。
【図６】それぞれの周波数ステップで実行される標準偏差ＱＤiの異なる計算を示す図である。
【符号の説明】
【００４３】
１６：処理
１７：メモリ
１８：コマンド
【図１】
0005235522.tif 000002
【図２】
0005235522.tif 000003
【図３】
0005235522.tif 000004
【図４】
0005235522.tif 000005
【図５】
0005235522.tif 000006
【図６】
0005235522.tif 000007